(57)【要約】      （修正有）【課題】衣服を洗濯して乾燥させるという一連の作業の中で、脱水されてはいるものの、濡れた衣服とハンガーをそれぞれ片手に持って「ハンガーを濡れた衣服の中に通す」という作業は一番手間の掛かるものであり、これを簡便にすることが大幅に家事の負担等を軽減する。【解決手段】衣服を掛けるハンガー本体１と、ハンガー本体の中央に設けた開口部１１で揺動可能に枢支されるフック２とよりなり、該フックにハンガーを積み上げ可能な突起部２２と受け部を形成するなどして、ハンガーを積み上げ固定するスタンド等とシステム化を実現可能とした。【選択図】図１
2015226730.tif 000002
【特許請求の範囲】
【請求項１】
衣服を掛けるハンガーであり、ハンガー本体と、ハンガー本体の中央に設けた開口部で揺動可能に枢支されるフックとよりなり、該フックにハンガーを積み上げ可能な突起部と受け部を形成し、ハンガーの積み上げを可能としたことを特徴とするハンガー。
【請求項２】
前記ハンガーを吊架させる状態では、フックの軸の枢支によるハンガー本体の支持に加え、ハンガー本体の開口部の鍔と前記フックに形成された肩リブが当接することを特徴とする請求項１記載のハンガー。
【請求項３】
前記ハンガー本体の両翼に脇支持部と、脇支持受け部を形成することを特徴とする請求項１又は２記載のハンガー。
【請求項４】
少なくとも１つ以上の前記のハンガーと組み合わされ、前記のフックに形成された受け部及び／或いは前記のハンガー本体両翼の脇支持部で係合しハンガーを載置する把持部を有するスタンド等を備えたことを特徴とする請求項１から３記載のハンガーシステム。
【発明の詳細な説明】
【技術分野】
【０００１】
本発明は、洗濯後の衣服を乾燥させる際に、濡れた衣服を簡便にハンガーに掛け、それを干し場に吊架することのできるハンガーおよびハンガーシステムに関するものである。
【背景技術】
【０００２】
従来、衣服を吊架するハンガーには、衣服の形状を保つ工夫がなされたものが非常に多く考案され、市場に出回っている。
一例として特許文献１では、両側に腕部が延びるように形成された本体部と、前記本体部上部に取り付けられ、前記本体部に対して上下方向に摺動可能なように構成された摺動部材とを備えられている。
また特許文献２では、上着の肩の部分を支持する肩支え部の中央部分に同種の洋服掛けの掛け用フックが挿入されるほどの大きさ以上の通孔部が上下に貫通するように形成され、内面には同種の洋服掛けの肩支え部の少なくとも一部分が収納できる収容空間を形成しているもの等がある。
【０００３】
前者の開示内容では、「衣類の首部を挟持するクリップ部を備えているため、前記衣類の首部をこのハンガーで保持することができる。また、首部の長さが異なる各種衣類に対し、それぞれの前記首部の長さに合わせて前記本体部上部と前記クリップ部との距離を調節することが出来るため、前記首部の型くずれを確実に防止した状態で前記衣類を吊るすことが可能となる」等とされている。
一方後者の開示内容では、「多数個の洋服掛けを上下に積層可能にする構造を単純化して、生産性を向上させ、生産コストの低減を図ることができ、また多数の洋服掛けを積層の際、従来の洋服掛けを積層する場合に比べて、体積減少の効果が大きいので、狭い空間に多い量の洋服掛けらを手軽に保管することができるだけでなく、運搬時にも容易に運搬することができる効果がある。」とされている。
【先行技術文献】
【特許文献】
【０００４】
【特許文献１】特許第４５３７６７５号公報（第６頁、図１）
【特許文献２】特許第４８１４３２２号公報（第６頁、図４）
【発明の概要】
【発明が解決しようとする課題】
【０００５】
しかしながら、
特許文献１では、洗濯した後の濡れた衣服を掛ける際に、摺動部材の高さ調節と衣服の首回りをクリップに掛けることや、肩回りで本体腕部の位置調節の作業が要るなど、衣服をハンガーに掛ける作業が煩雑であった。
また特許文献２では、樹脂などによって製作されたハンガーをコンパクトに積重ねることができるといった保管や運搬等における利便性に主眼が置かれており、衣服をハンガーに掛ける作業を容易にするという観点において、従来のハンガーからの進歩は見いだせない等、これらの開示内容からは、洗濯後の濡れた衣服等をハンガーに掛ける作業を容易にして家事の負担を軽減することは達成し得てない。
【０００６】
このように、衣服を洗濯して乾燥させるという一連の作業の中で、「ハンガーに衣服を掛ける」という作業が洗濯を機械で行うことによる家事の負担軽減に比べ煩わしく手間を必要とする、すなわち家事に負担が掛かるものであった。
特にＹシャツのように裾が割れておらず輪状に繋がった衣服や、さらに首回りの開口が小さな衣服は一番手間を必要としていた。
本発明は、こうした従来のハンガーの持つ課題を払拭し、衣服を洗濯し乾燥するという一連の作業中、一番煩わしい作業であった濡れた衣服をハンガーに掛けるという作業を極めて簡便にすることができるハンガーおよびハンガーシステムを提供することを目的とする。
【課題を解決するための手段】
【０００７】
本発明は、
１）衣服を掛けるハンガー本体と、ハンガー本体の中央に設けた開口部で揺動可能に枢支されるフックとよりなり、該フックにハンガーを積み上げ可能な突起部と受け部を形成している。
２）また、ハンガーを吊架させる状態では、フックの軸の枢支によるハンガー本体の支持に加え、ハンガー本体の開口部の鍔と前記フックに形成された肩リブが当接する形状としている。
３）そして、ハンガー本体の両翼に脇支持部と、脇支持受け部を形成している。
４）さらに、少なくとも１つ以上のハンガーと、前記のフックに形成された受け部及び／或いは前記のハンガー本体両翼の脇支持部で係合しハンガーを載置する把持部を有するスタンド等でシステムを構成している。  
【発明の効果】
【０００８】
これによって、
洗濯そして脱水を終えて、作業のし易い高さにセットしたハンガーに、その濡れた衣服を両手を使って掛ける。
その後、乾燥させるために濡れた衣服を掛けた一番上のハンガーのフックの突起部及び／或いはフックの鉤部を持ち上げて干し場に吊架する。
この動作を繰り返すことで、衣服を洗濯し乾燥するという一連の作業中、一番煩わしい作業であった濡れた衣服をハンガーに掛け、干し場に吊架するという作業を簡便にすることができる。
さらに、収納時には、乾いた衣服から取り外したハンガーをフックの突起部を持って、スタンドのハンガーを載置する把持部であるハンガーサポートに、或いはスタンドに載置したハンガーに重ねることで簡単に、かつ場所を取ることもなく積み上げることができる。
こうしたことで、一般家庭においては、家事の負担を大きく軽減することができる。
【図面の簡単な説明】
【０００９】
【図１】本発明によるハンガーの正面、上面、および側面の３面図。
【図２】本発明によるハンガーのフック突起部正立位置での中央側面（一部断面）図。
【図３】本発明によるハンガーのフック鉤部正立位置での中央側面（一部断面）図。
【図４】本発明によるハンガーの積み重ねを示す側面図。
【図５】本発明によるハンガーシステムの一実施例を示す正面図。
【発明を実施するための形態】
【００１０】
以下、本発明の実施の形態を、図面を参照しながら具体的に説明する。
図１から図５に示すように、本発明の実施の形態に係るハンガーおよびハンガーシステムは、ハンガー本体１と、フック２そしてスタンド３とよりなる。
ハンガー本体１は、人の肩に似た上表面形状を持ち、長手方向の断面形状は衣服の吊架に耐える剛性を確保できる形状、例えば略逆Ｕ字形状等の断面を持つものであれば良く、図１に示されたように、その中央には開口部１１が形成されており、図２のように開口部１１にはハンガー本体１の長手方向の両淵において下方に伸び、軸受（図示せず）を形成したリブ１２ａ（反対側で図に表われない。  以下同様に記述）、１２ｂ等が形成され、これによりフック２が揺動可能に枢支される。
また、開口部１１の長手直角方向の淵はフック２の揺動を規制する位置に形成されている。
これによりフック２に形成した突起部２２がハンガー本体１の中央における法線方向に正立する位置と、図３のようにフック２の揺動範囲は鉤部２１がハンガー本体１の中央における法線方向に正立する位置とを往復することとなる。
さらに、図示はしていないがハンガー本体１の両翼先端には平担面を形成することが望ましい。これによって机等の平板の上にハンガーを立てて置くことができる。
【００１１】
フック２は、図２で示されたように上部にはハンガーを干し竿等に吊架する鉤部２１と、突起部２２、そして下部には突起部２２に係合するように受け部２３が形成され、さらに受け部２３の両側にはハンガー本体１の開口部１１の長手方向の両淵のリブ１２ａ、１２ｂに形成した軸受に枢支係合する軸２３ａ、２３ｂ（反対側で図に表われない。  以下同様に記述）が形成されている。
ハンガー本体１とフック２の組み立ては、ハンガー本体１の開口部１１上方よりハンガー本体１の開口部１１に形成されたリブ１２ａ（反対側で図に表われない。  以下同様に記述）、１２ｂ及び／或いはフック２の受け部２３の弾性変形によって、フック２の受け部２３に形成された軸２３ａ、２３ｂ（反対側で図に表われない。  以下同様に記述）を開口部１１の長手方向の両淵のリブ１２ａ、１２ｂに形成した軸受に挿入して完成する。これから判るように、軸と軸受けの形成はハンガー本体１とフック２で逆の構成も可能である。
ハンガー本体１に枢支された状態では、フック２は鉤部２１の先端の重さで自然にフック２の鉤部２１の根元の側面がハンガー本体１の開口部１１の長手直角方向の淵に当接している。
【００１２】
ハンガー本体１の開口部１１の長手方向の両淵の形状は、図１および図３で示されたように好ましくはフック２の横幅とフック２の受け部２３の側面に追加形成する肩リブ２４ａ、２４ｂ（反対側で図に表われない。  以下同様に記述）を受け入れるクランク状の２段の幅で形成し、フック２の鉤部２１がハンガー本体１の中央における法線方向に正立する位置において、開口部１１の長手方向の両淵のクランク部の鍔の下面とフック２の受け部２３の側面に追加形成する肩リブ２４ａ、２４ｂの上面を当接係合させる。
これにより、フック２をハンガー本体１に係止させることができると同時に、ハンガー本体１の開口部１１の両淵のリブ１２ａ、１２ｂとフック２の受け部２３に形成した軸２３ａ、２３ｂに枢支されてハンガーを吊架する場合に比べ、さらにより重い濡れた衣服を吊架するなど耐荷重を増すことが可能なハンガーとすることができる。
【００１３】
このハンガーは図３および図４のように、ハンガー本体１に枢支されたフック２の受け部２３の肩リブ２４ａ、２４ｂが開口部１１の鍔から抜けて、上端の鉤部２１の重さでフックの突起部２２がハンガー本体１の中央における法線方向に正立する位置にある状態で、上にある別のハンガーのフック２の突起部２２を持って、好ましくは突起部２２に開孔形成する指掛けなどで吊り下げて、受け部２３を下にあるハンガーのフック２の突起部２２に挿入係合して重ねることができる。
さらに、その上にまた別のハンガーを同じように重ねることで多くのハンガーを積み上げることができる。
好ましくは、ハンガー本体１の両翼には図１のように脇支持部１３ａ、１３ｂと、脇支持受け部１４ａ、１４ｂを形成し、フックの突起部２２と受け部２３が挿入して係合された状態で、ハンガーの両翼でこの脇支持部１３ａ、１３ｂと、脇支持受け部１４ａ、１４ｂが当接する相対位置関係とする。
これにより、図５のようにハンガー本体１の両翼がより安定に支持され積み上げることができる。
この脇支持部１３ａ、１３ｂは先端が平坦な円筒形状が望ましいが、ハンガーを安定して平面に置け、そして支持できるものであればよい。
【００１４】
スタンド３は、図５に示すように基台３１と、基台３１に植立した支柱３２ａ、３２ｂ、そしてハンガーを支持固定する把持部であるハンガーサポート３３より構成される。
ハンガーサポート３３は支柱３２ａ、３２ｂに上下摺動可能に、限定された高さの範囲内に任意の位置で固定されている。
ハンガーサポート３３の上端はハンガー本体１の両翼の脇支持部１３ａ、１３ｂの円筒内面に挿入され、或いはその他の脇支持部１３ａ、１３ｂの水平断面形状と係合する等によりハンガーを載置し固定できる先端形状を持つ、或いはフック２の受け部２３に挿入して係合してハンガーを載置し固定できる突起部２２と相似形の先端形状でも良い。
結果として、そのハンガーサポート３３により支持されたハンガーの高さが、衣服を掛ける際作業する人の姿勢が楽であるというように、立位で衣服掛けが可能となる高さに合わせて組み合わせる。
【００１５】
このハンガーサポート３３の支柱３２ａ、３２ｂへの係止には、レバーを介してカムの変位を利用したり弾性力を利用して、摩擦係数の大きな当接部材を支柱に付勢するブレーキ構造など、従来の機構を利用して任意の高さに固定する方法や、
摺動するハンガーサポートが限定範囲で移動を規制される状態で、基台或いは支柱からのバネ等による弾性力を受け浮揚する構造にして載置されたハンガーの数に応じて一定の高さに調節される方法等が応用可能である。
スタンドは安定してハンガーを載置する機能をもつことができるものであれば、支柱の数やその断面形状は任意でよく、中央に太い支柱を１本配したもの等、安定して濡れた衣服をハンガーに掛けることができるものであれば良い。
こうしたことにより、ハンガーが作業のし易い高さに載置され、濡れた衣服を両手に持ち、衣服の裾を広げてハンガーに掛けることが極めて容易となる。
【００１６】
濡れた衣服等を干し場に吊架するには、フック２の突起部２２に図１で示されたように指掛けを形成するなどして突起部２２を引き上げる、或いはフック２の鉤部２１と突起部２２を挟むように保持して引き上げる。
これにより、ハンガーに掛けられた濡れた衣服を一番上のハンガーと共に取り上げ、一番上のハンガーのフック２の受け部２３と直ぐ下のハンガーのフック２の突起部２２の係合が解け、フックの鉤部２１が衣服の重さ等によりハンガーの中央における法線方向に立ち上がる。
この結果、フック２の側面に形成された肩リブ２４ａ、２４ｂがハンガーの開口部１１の長手方向の両淵のクランク部の鍔と当接し係合することで耐荷重が増し、より安定してハンガーを吊り下げることが可能となる。
その後干し場の竿などにこのフックの鉤部２１を掛けて濡れた衣服の乾燥をすることができる。
この動作を繰り返すことで、衣服を洗濯し乾燥するという一連の作業中、一番煩わしい作業であった濡れた衣服をハンガーに掛けるという作業を本発明により簡便にすることができる。
また、収納時には乾いた衣服から取り外したハンガーを、フック２の側面に形成された肩リブ２４ａ、２４ｂをハンガーの開口部１１の長手方向の両淵のクランク部の鍔との当接を解いて、フック２に形成した突起部２２がハンガー本体１の中央における法線方向に正立する位置で突起部２２を持って、スタンドのハンガーを載置する把持部であるハンガーサポートに、或いはスタンドに載置したハンガーに重ねることで簡単に、かつ場所を取ることもなく積み上げることができる。
こうしたことで、家事の負担を大きく軽減でき、しかも多数のハンガーを嵩張ることなく収納することができる。
【産業上の利用可能性】
【００１７】
本発明のハンガーおよびハンガーシステムは、家庭用のみならず、産業用においても両手で衣服にハンガーに掛けることができるという作業性の良さを必要とする場所で広範に利用することができる。
特に家事の負担軽減という意味で大きな効果を期待できるものである。
【符号の説明】
【００１８】
１    ハンガー本体
２    フック
３    スタンド
３３    ハンガーサポート
【図１】
2015226730.tif 000003
【図２】
2015226730.tif 000004
【図３】
2015226730.tif 000005
【図４】
2015226730.tif 000006
【図５】
2015226730.tif 000007